【手続補正書】
【提出日】平成24年3月19日(2012.3.19)
【手続補正１】
【補正対象書類名】特許請求の範囲
【補正対象項目名】全文
【補正方法】変更
【補正の内容】
【特許請求の範囲】
【請求項１】
固形インクスティックであって、
相変化インク材料で形成されたインクスティック本体であって、インクスティックの第１の組に含まれるように構成され、前記インクスティックの第１の組における他のインクスティックと実質的に同じ大きさ及び形状を有し、またインクスティックの第２の組におけるインクスティックと同じ大きさ及び形状を有し、前記インクスティックの第１の組は、前記インクスティックの第２の組を排除する第１のモデルのプリンタに挿入されるように構成されており、前記インクスティックの第２の組は、前記インクスティックの第１の組を排除する第２のモデルのプリンタに挿入されるように構成されている、前記インクスティック本体、及び、
前記インクスティック本体上に形成された識別パターンであって、一組の識別パターンにおける１つの識別パターンであり、前記インクスティック本体上に形成された前記識別パターンは、前記一組の識別パターンにおける他の識別パターンから視覚的に認識可能であり、前記インクスティックを前記インクスティックの第１の組の他のインクスティックから区別し、また前記インクスティックを前記インクスティックの第２の組の他のインクスティックから区別するように、前記インクスティック本体上の突起及び凹みによって構成されている、前記識別パターン、
を含むことを特徴とする、前記インクスティック。
【請求項２】
前記インクスティック本体上に形成された前記識別パターンは、前記インクスティック本体に関するインクスティック識別子に対応するように割り当てられることを特徴とする、請求項１に記載のインクスティック。
【請求項３】
前記インクスティック識別子は、インクの色、プリンタのモデル、部品番号、及び在庫商品識別（ＳＫＵ）のうちの少なくとも１つを示すように割り当てられることを特徴とする、請求項２に記載のインクスティック。
【請求項４】
前記インクスティック本体は、１つ又はそれ以上のパターン領域を含み、前記識別パターンは、前記１つ又はそれ以上のパターン領域に形成され、前記インクスティック本体上の前記１つ又はそれ以上のパターン領域は、前記インクスティックの第１の組の前記他のインクスティック上のパターン領域と実質的に同じ位置であって、また前記インクスティックの第２の組の前記インクスティック上のパターン領域と実質的に同じ位置にあることを特徴とする、請求項１に記載のインクスティック。
【請求項５】
前記インクスティック本体上に形成された前記識別パターンは、少なくとも１つのパターン要素をさらに含み、前記少なくとも１つのパターン要素は、前記一組の識別パターンにおける他の識別パターンのパターン要素から視覚的に認識可能少なくとも１つの特徴を有することを特徴とする、請求項１に記載のインクスティック。
【請求項６】
前記少なくとも１つの特徴は、前記識別パターン内の前記少なくとも１つのパターン要素の大きさ、形状、及び位置から選ばれることを特徴とする、請求項１に記載のインクスティック。
【請求項７】
複数のインクスティックであって、
第１のプリンタモデルで使用されるよう構成された、インクスティックの第１の組と、
第２のプリンタモデルで使用されるよう構成された、インクスティックの第２の組と、
を含み、
前記インクスティックの第１の組における各インクスティックと、前記インクスティックの第２の組における各インクスティックとは、実質的に同じ大きさ及び形状を有し、前記インクスティックの第１の組における各インクスティック及び前記インクスティックの第２の組における各インクスティックは、少なくとも１つのパターン領域を含み、前記パターン領域は、前記インクスティックの第１の組における各インクスティック及び前記インクスティックの第２の組における各インクスティック上の同じ位置にあり、
前記インクスティックの第１の組における各インクスティック及び前記インクスティックの第２の組における各インクスティックは、前記インクスティックの前記少なくとも１つのパターン領域に形成された識別パターンを有し、各識別パターンは、一組の識別パターンにおける異なるパターンを含み、もって前記一組の識別パターンにおける各識別パターンが、前記一組の識別パターンにおける他の識別パターンから視覚的に認識可能となり、前記インクスティックの第１の組における各インクスティックは、前記インクスティックの第１の組における各インクスティックを前記インクスティックの第１の組の他のインクスティックから区別可能とし、また前記インクスティックの第２の組のインクスティックから区別可能とする、前記一組の識別パターンにおける識別パターンを有し、前記インクスティックの第２の組における各インクスティックは、前記インクスティックの第２の組における各インクスティックを前記インクスティックの第２の組の他のインクスティックから区別可能とし、また前記インクスティックの第１の組のインクスティックから区別可能とする、前記一組の識別パターンにおける識別パターンを有し、前記インクスティックの第１の組及び前記インクスティックの第２の組における各インクスティックのための識別パターンは、各インクスティックの前記パターン領域に突起及び凹みによって形成されている、
ことを特徴とする、前記複数のインクスティック。
【請求項８】
インクスティックを識別するためのシステムであって、
第１のプリンタモデルで使用されるよう構成された、インクスティックの第１の組と、
第２のプリンタモデルで使用されるよう構成された、インクスティックの第２の組と、
を含み、
前記インクスティックの第１の組における各インクスティックと、前記インクスティックの第２の組における各インクスティックとは、実質的に同じ大きさ及び形状を有し、前記インクスティックの第１の組における各インクスティック及び前記インクスティックの第２の組における各インクスティックは、その上に形成された識別パターンを有し、インクスティックの上に形成された各識別パターンは、前記インクスティック本体の表面における突起と凹みとの両方を含み、一組の識別パターンにおける異なるパターンを形成し、もって前記一組の識別パターンにおける各識別パターンが、前記一組の識別パターンにおける他の識別パターンから視覚的に認識可能となり、前記インクスティックの第１の組における各インクスティックは、前記インクスティックの第１の組における各インクスティックを前記インクスティックの第１の組の他のインクスティックから区別可能とし、また前記インクスティックの第２の組のインクスティックから区別可能とする、前記一組の識別パターンにおける識別パターンを有し、前記インクスティックの第２の組における各インクスティックは、前記インクスティックの第２の組における各インクスティックを前記インクスティックの第２の組の他のインクスティックから区別可能とし、また前記インクスティックの第１の組のインクスティックから区別可能とする、前記一組の識別パターンにおける識別パターンを有し、
一組の適合表現であって、各適合表現は、前記インクスティックの第１及び第２の組のインクスティック上に形成された前記識別パターンの１つに対応し、各適合表現は、前記適合表現に対応する前記識別パターンに関連する情報を含む、前記一組の適合表現、
を含むことを特徴とする、前記システム。
【請求項９】
前記各識別パターンに関連する情報は、インクの色、プリンタのモデル、部品番号、及び在庫商品識別（ＳＫＵ）のうちの少なくとも１つを含むことを特徴とする請求項８に記載のシステム。
【請求項１０】
各識別パターンの前記適合表現は、媒体シート、ラベル及びディスプレイパネルのうちの少なくとも１つに組み込まれていることを特徴とする請求項９に記載のシステム。